(57)【要約】【課題】  ハーフミラーを用いずに、３Ｄホログラム等のような映像を比較的安価に表示できる映像表示装置及びプログラムを提供すること。【解決手段】  映像表示装置は、表示部１１０を備えた携帯端末１００の表示部１１０に対して傾斜して配置可能な透明板３０を有し、透明板３０にて表示部１１０に表示された表示を反射可能となっている。透明板３０を透過して透明板３０の背後が視認可能であると同時に、携帯端末１００の表示部１１０の映像も透明板３０で反射して視認可能となっている。【選択図】  図５
2015090407.tif 000002
【特許請求の範囲】
【請求項１】
表示部を備えた携帯端末の表示部に対して傾斜して配置可能な透過性を有する透明板を有し、前記透明板にて前記表示部に表示された表示を反射可能な映像表示装置。
【請求項２】
請求項１記載の映像表示装置であって、
前記透明板は、ガラス、または、ポリ塩化ビニル、ポリエチレンテレフタレート、ポリカーボネートもしくはアクリル等のいずれかの樹脂からなることを特徴とする映像表示装置。
【請求項３】
請求項１または２記載の映像表示装置であって、
前記携帯端末を、前記表示部側から支持可能な支持部を有することを特徴とする映像表示装置。
【請求項４】
請求項３記載の映像表示装置であって、
前記透明板は、前記支持部に支持された携帯端末の下方に位置することを特徴とする映像表示装置。
【請求項５】
請求項１乃至４のいずれか１項に記載の映像表示装置であって、
オブジェクトを有し、
前記透明板は、前記オブジェクトよりも使用者側に位置することを特徴とする映像表示装置。
【請求項６】
請求項６記載の映像表示装置であって、
前記オブジェクトが交換可能であることを特徴とする映像表示装置。
【請求項７】
請求項５または６のいずれか１項に記載の映像表示装置であって、
前記オブジェクトが立体であることを特徴とする映像表示装置。
【請求項８】
請求項１乃至７のいずれか１項に記載の映像表示装置であって、
前記透明板の側方に位置する側壁を有することを特徴とする映像表示装置。
【請求項９】
請求項１乃至７のいずれか１項に記載の映像表示装置であって、
一対の側壁が前記透明板の両側方に配置されていることを特徴とする映像表示装置。
【請求項１０】
請求項１乃至９のいずれか１項に記載の映像表示装置であって、
前記透明板と使用者の間に位置する正面壁を有することを特徴とする映像表示装置。
【請求項１１】
請求項１０記載の映像表示装置であって、
前記正面壁は、前記透明板を視認可能な開口を有することを特徴とする映像表示装置。
【請求項１２】
請求項１１記載の映像表示装置であって、
前記正面壁は、前記開口の側方に配置されて前記開口の開口幅を規定する側縁壁を有することを特徴とする映像表示装置。
【請求項１３】
請求項１１記載の映像表示装置であって、
前記正面壁は、前記開口の両側に配置されて前記開口の開口幅を規定する２つの側縁壁を有することを特徴とする映像表示装置。
【請求項１４】
請求項１乃至１３のいずれか１項に記載の映像表示装置であって、前記透明板に対し使用者と反対側に位置する背面壁とを有することを特徴とする映像表示装置。
【請求項１５】
請求項９記載の映像表示装置であって、
前記一対の側壁は、前記携帯端末を表示部側から支持可能であることを特徴とする映像表示装置。
【請求項１６】
請求項３または４記載の映像表示装置であって、
一対の側壁が前記透明板の両側方に配置されており、
前記一対の側壁が、前記携帯端末を表示部側から支持可能であり、
前記一対の側壁が、前記支持部を兼ねていることを特徴とする映像表示装置。
【請求項１７】
請求項１乃至７のいずれか１項に記載の映像表示装置であって、
前記透明板の側方に位置する側壁と、
前記透明板と使用者の間に位置する正面壁とを有し、
前記側壁と前記正面壁により、前記携帯端末を前記表示部側から支持可能であることを特徴とする映像装置。
【請求項１８】
請求項３または４記載の映像表示装置であって、
前記透明板の側方に位置する側壁と、
前記透明板と使用者の間に位置する正面壁とを有し、
前記側壁と前記正面壁により、前記携帯端末を前記表示部側から支持可能であり、
前記側壁と前記正面壁が、前記支持部を兼ねていることを特徴とする映像表示装置。
【請求項１９】
請求項１７または１８記載の映像表示装置であって、
前記正面壁は、前記透明板を視認可能な開口を有することを特徴とする映像表示装置。
【請求項２０】
請求項１９記載の映像表示装置であって、
前記正面壁は、前記開口の側方に配置されて前記開口の開口幅を規定する側縁壁を有することを特徴とする映像表示装置。
【請求項２１】
請求項１９記載の映像表示装置であって、
前記正面壁は、前記開口の両側に配置されて前記開口の開口幅を規定する２つの側縁壁を有することを特徴とする映像表示装置。
【請求項２２】
請求項１乃至７のいずれか１項に記載の映像表示装置であって、
前記透明板の側方に位置する側壁と、
前記透明板に対し使用者と反対側に位置する背面壁とを有し、
前記側壁と前記背面壁により、前記携帯端末を前記表示部側から支持可能であることを特徴とする映像表示装置。
【請求項２３】
請求項３または４記載の映像表示装置であって、
前記透明板の側方に位置する側壁と、
前記透明板に対し使用者と反対側に位置する背面壁とを有し、
前記側壁と前記背面壁により、前記携帯端末を前記表示部側から支持可能であり、
前記側壁と前記背面壁が、前記支持部を兼ねていることを特徴とする映像表示装置。
【請求項２４】
請求項１乃至７のいずれか１項に記載の映像表示装置であって、
前記透明板と使用者の間に位置する正面壁と、
前記正面壁と対向する背面壁とを有し、
前記正面壁と前記背面壁が、前記携帯端末を前記表示部側から支持可能であることを特徴とする映像表示装置。
【請求項２５】
請求項３または４記載の映像表示装置であって、
前記透明板と使用者の間に位置する正面壁と、
前記正面壁と対向する背面壁とを有し、
前記正面壁と前記背面壁が、前記携帯端末を前記表示部側から支持可能であり、
前記正面壁と前記背面壁が、前記支持部を兼ねていることを特徴とする映像表示装置。
【請求項２６】
請求項２４または２５記載の映像表示装置であって、
前記正面壁は、前記透明板を視認可能な開口を有することを特徴とする映像表示装置。
【請求項２７】
請求項２６記載の映像表示装置であって、
前記正面壁は、前記開口の側方に配置されて前記開口の開口幅を規定する側縁壁を有することを特徴とする映像表示装置。
【請求項２８】
請求項２６記載の映像表示装置であって、
前記正面壁は、前記開口の両側に配置されて前記開口の開口幅を規定する２つの側縁壁を有することを特徴とする映像表示装置。
【請求項２９】
請求項１乃至２８のいずれか１項に記載の映像表示装置であって、
底壁を有することを特徴とする映像表示装置。
【請求項３０】
請求項１乃至７のいずれか１項に記載の映像表示装置であって、
底壁と、
前記透明板の両側方に配置された一対の側壁と、
を含む箱体を有することを特徴とする映像表示装置。
【請求項３１】
請求項３０記載の映像表示装置であって、
前記箱体には、前記透明板と使用者と間に位置する正面開口が設けられていることを特徴とする映像表示装置。
【請求項３２】
請求項３１記載の映像表示装置であって、
前記箱体は、前記正面開口の側方に配置されて前記正面開口の開口幅を規定する側縁壁を有する映像表示装置。
【請求項３３】
請求項３１記載の映像表示装置であって、
前記箱体は、前記正面開口の両側に配置されて前記正面開口の開口幅を規定する２つの側縁壁を有する映像表示装置。
【請求項３４】
請求項３０乃至３３のいずれか１項に記載の映像表示装置であって、
前記箱体は、前記底壁と対向する上部開口を有することを特徴とする映像表示装置。
【請求項３５】
請求項１乃至３４のいずれか以降に記載の映像表示装置であって、
前記透明板の角度の位置決めをする設置部を有する映像表示装置。
【請求項３６】
請求項５乃至７のいずれか１項に記載の映像表示装置であって、
前記オブジェクトは、前記透明板を幅方向にて位置決めするサイドストッパーを有することを特徴とする映像表示装置。
【請求項３７】
請求項３４記載の映像表示装置であって、
前記箱体の前記上部開口及び前記正面開口を塞ぐ蓋体と、
を有し、
前記箱体と前記蓋体とに囲まれた空間に物品を収容可能な包装容器。
【発明の詳細な説明】
【技術分野】
【０００１】
本発明は、映像表示装置及びプログラムに関する。
【背景技術】
【０００２】
ハーフミラーを用いて２種の映像を重畳させる映像表示装置が知られている（例えば、特許文献１）。特許文献１の図４には、ハーフミラーを透過するハーフミラー後方の背景映像と、ハーフミラーで反射された映像とが重畳された合成画像を観察者が視認できる映像装置が開示されている。
【先行技術文献】
【特許文献】
【０００３】
【特許文献１】特開平８−１２２６９５号公報
【発明の概要】
【発明が解決しようとする課題】
【０００４】
特許文献１の映像装置に用いられるハーフミラーは、ガラスの少なくとも片面に、クロム、ＳＵＳ等の金属反射層を半透明になるくらい薄く成膜して作製される。従って、ハーフミラーは比較的高価である。
【０００５】
特許文献１には、反射率５０％及び透過率５０％のハーフミラーが例示されている。この数値は一例であるとしても、一般にハーフミラーは金属反射層を有するため背景映像の透過率は低くなる。
【０００６】
本発明は、ハーフミラーを用いずに、３Ｄホログラム等のような映像を比較的安価に表示することができる映像表示装置及びプログラムを提供することを目的とする。
【課題を解決するための手段】
【０００７】
本発明に係る映像表示装置においては、表示部を備えた携帯端末の表示部に対して傾斜して配置可能な透過性を有する透明板を有し、前記透明板にて前記表示部に表示された表示を反射可能となっている。
【０００８】
また、本発明に係る映像表示装置は、前記透明板は、ガラス、または、ポリ塩化ビニル、ポリエチレンテレフタレート、ポリカーボネートもしくはアクリル等のいずれかの樹脂からなることとしてもよい。
【０００９】
また、本発明に係る映像表示装置は、前記携帯端末を、前記表示部側から支持可能な支持部を有することとしてもよい。
【００１０】
また、本発明に係る映像表示装置は、前記透明板は、前記支持部に支持された携帯端末の下方に位置することとしてもよい。
【００１１】
また、本発明に係る映像表示装置は、オブジェクトを有し、前記透明板は、前記オブジェクトよりも使用者側に位置することとしてもよい。
【００１２】
また、本発明に係る映像表示装置は、前記オブジェクトが交換可能であることとしてもよい。
【００１３】
また、本発明に係る映像表示装置は、前記オブジェクトが立体であることとしてもよい。
【００１４】
また、本発明に係る映像表示装置は、前記透明板の側方に位置する側壁を有することとしてもよい。
【００１５】
また、本発明に係る映像表示装置は、一対の側壁が前記透明板の両側方に配置されていることとしてもよい。
【００１６】
また、本発明に係る映像表示装置は、前記透明板と使用者の間に位置する正面壁を有することとしてもよい。
【００１７】
また、本発明に係る映像表示装置は、前記正面壁は、前記透明板を視認可能な開口を有することとしてもよい。
【００１８】
また、本発明に係る映像表示装置は、前記正面壁は、前記開口の側方に配置されて前記開口の開口幅を規定する側縁壁を有することとしてもよい。
【００１９】
また、本発明に係る映像表示装置は、前記正面壁は、前記開口の両側に配置されて前記開口の開口幅を規定する２つの側縁壁を有することとしてもよい。
【００２０】
また、本発明に係る映像表示装置は、前記透明板に対し使用者と反対側に位置する背面壁とを有することとしてもよい。
【００２１】
また、本発明に係る映像表示装置は、前記一対の側壁は、前記携帯端末を表示部側から支持可能であることとしてもよい。
【００２２】
また、本発明に係る映像表示装置は、一対の側壁が前記透明板の両側方に配置されており、前記一対の側壁は、前記携帯端末を表示部側から支持可能であり、前記一対の側壁が、前記支持部を兼ねていることとしてもよい。
【００２３】
また、本発明に係る映像表示装置は、前記透明板の側方に位置する側壁と、前記透明板と使用者の間に位置する正面壁とを有し、前記側壁と前記正面壁により、前記携帯端末を前記表示部側から支持可能であることとしてもよい。
【００２４】
また、本発明に係る映像表示装置は、前記透明板の側方に位置する側壁と、前記透明板と使用者の間に位置する正面壁とを有し、前記側壁と前記正面壁により、前記携帯端末を前記表示部側から支持可能であり、前記側壁と前記正面壁が、前記支持部を兼ねていることとしてもよい。
【００２５】
また、本発明に係る映像表示装置は、前記正面壁は、前記透明板を視認可能な開口を有することとしてもよい。
【００２６】
また、本発明に係る映像表示装置は、前記正面壁は、前記開口の側方に配置されて前記開口の開口幅を規定する側縁壁を有することとしてもよい。
【００２７】
また、本発明に係る映像表示装置は、前記正面壁は、前記開口の両側に配置されて前記開口の開口幅を規定する２つの側縁壁を有することとしてもよい。
【００２８】
また、本発明に係る映像表示装置は、前記透明板の側方に位置する側壁と、前記透明板に対し使用者と反対側に位置する背面壁とを有し、前記側壁と前記背面壁により、前記携帯端末を前記表示部側から支持可能であることとしてもよい。
【００２９】
また、本発明に係る映像表示装置は、前記透明板の側方に位置する側壁と、前記透明板に対し使用者と反対側に位置する背面壁とを有し、前記側壁と前記背面壁により、前記携帯端末を前記表示部側から支持可能であり、前記側壁と前記背面壁が、前記支持部を兼ねていることとしてもよい。
【００３０】
また、本発明に係る映像表示装置は、前記透明板と使用者の間に位置する正面壁と、  前記正面壁と対向する背面壁とを有し、前記正面壁と前記背面壁が、前記携帯端末を前記表示部側から支持可能であることとしてもよい。
【００３１】
また、本発明に係る映像表示装置は、前記透明板と使用者の間に位置する正面壁と、  前記正面壁と対向する背面壁とを有し、前記正面壁と前記背面壁が、前記携帯端末を前記表示部側から支持可能であり、前記正面壁と前記背面壁が、前記支持部を兼ねていることとしてもよい。
【００３２】
また、本発明に係る映像表示装置は、前記正面壁は、前記透明板を視認可能な開口を有することとしてもよい。
【００３３】
また、本発明に係る映像表示装置は、前記正面壁は、前記開口の側方に配置されて前記開口の開口幅を規定する側縁壁を有することとしてもよい。
【００３４】
また、本発明に係る映像表示装置は、前記正面壁は、前記開口の両側に配置されて前記開口の開口幅を規定する２つの側縁壁を有することとしてもよい。
【００３５】
また、本発明に係る映像表示装置は、底壁を有することとしてもよい。
【００３６】
また、本発明に係る映像表示装置は、底壁と、前記透明板の両側方に配置された一対の側壁と、を含む箱体を有することとしてもよい。
【００３７】
また、本発明に係る映像表示装置は、前記箱体には、前記透明板と使用者と間に位置する正面開口が設けられていることとしてもよい。
【００３８】
また、本発明に係る映像表示装置は、前記箱体は、前記正面開口の側方に配置されて前記正面開口の開口幅を規定する側縁壁を有することとしてもよい。
【００３９】
また、本発明に係る映像表示装置は、前記箱体は、前記正面開口の両側に配置されて前記正面開口の開口幅を規定する２つの側縁壁を有することとしてもよい。
【００４０】
また、本発明に係る映像表示装置は、前記箱体は、前記底壁と対向する上部開口を有することとしてもよい。
【００４１】
また、本発明に係る映像表示装置は、前記透明板の角度の位置決めをする設置部を有することとしてもよい。
【００４２】
また、本発明に係る映像表示装置は、前記オブジェクトは、前記透明板を幅方向にて位置決めするサイドストッパーを有することとしてもよい。
【００４３】
また、本発明に係る映像表示装置は、前記箱体の前記上部開口及び前記正面開口を塞ぐ蓋体と、を有し、前記箱体と前記蓋体とに囲まれた空間に物品を収容可能な包装容器としてもよい。
【図面の簡単な説明】
【００４４】
【図１】本発明の一実施形態に係る包装容器（映像表示装置及び蓋体）の概略斜視図である。
【図２】立体オブジェクトの斜視図である。
【図３】映像表示装置に携帯端末を架設した使用状態を示す断面図である。
【図４】図３のＡ部拡大図である。
【図５】映像表示装置の使用状態を示す斜視図である。
【図６】携帯端末の表示部での映像を示す図である。
【図７】映像表示装置にて表示される映像を示す図である。
【図８】図８（Ａ）は一枚の透明薄板を用いた時の反射像を示し、図８（Ｂ）は複数舞の透明薄板を用いた時の反射像を示す図である。
【図９】携帯端末の表示部に表示されるマーカーを示す図である。
【図１０】携帯端末と通信される基地局及びサーバーが接続されるネットワークを示す図である。
【図１１】携帯端末の機能ブロック図である。
【図１２】サーバーの機能ブロック図である。
【図１３】箱体と蓋体とを切断可能に一体化した包装容器の変形例を示す斜視図である。
【図１４】図１３に示す箱体を用いた映像表示装置を示す断面図である。
【発明を実施するための形態】
【００４５】
図１は、本発明の一実施形態に係る包装容器の概略斜視図である。図１において、包装容器１は、箱体１０と、立体オブジェクト２０と、透明板（クリアカード）３０と、蓋体４０とを有する。箱体１０内に、立体オブジェクト２０及び透明板３０と共に、菓子や玩具など商品または物品（図示せず）を収容し、箱体１０をその上方から蓋体４０で覆うことで、各種商品等の包装容器１とすることができる。
【００４６】
箱体１０は、立体オブジェクト２０が載置される底壁１１と、立体オブジェクトの裏側に配置される背面壁１２と、立体オブジェクト２０の両側方にて背面壁１２から前方に延びる両側壁１３，１３と、を有する。箱体１０には、底壁１１と対向する上部開口１５と、背面壁１２と対向する正面開口１６とが形成される。なお、包装容器１を構成しない場合には、底壁１１と背面壁１２は不要となる。本実施形態ではさらに、箱体１０は、背面壁１２と対向する正面壁１４をさらに有している。正面壁１４は、正面開口１６の両側に配置されて正面開口１６の開口幅を規定する２つの側縁壁１４Ａ，１４Ｂを有する。正面壁１４はさらに、底壁１１から起立して正面開口１６の下端を規定する下縁壁１４Ｃを有することができる。
【００４７】
箱体１０の高さＬ１は、透明板３０の長さＬ２よりも低い（Ｌ１＜Ｌ２）。蓋体４０の高さＬ３は、透明板３０の長さＬ２より高い（Ｌ１＜Ｌ２＜Ｌ３）。こうして、透明板３０を箱体１０内にて立て掛け、箱体１０をその上方から蓋体４０にて覆うことができる。蓋体４０は例えば下端が開口した蓋箱体の形状とし、折り曲げ片４１，４１を折り曲げて箱体１０の底壁１１に接着テープ等で張り合わせることで、蓋体４０を箱体１０に装着固定することができる。
【００４８】
立体オブジェクト２０は、図２に示すように正面に凹凸を有する立体物であり、図２に示す例は建物の立体オブジェクトである。立体オブジェクト２０は、建物に限らず、各種キャラクター、フィギュアであっても良い。立体オブジェクト２０は、樹脂や金属製の他、ペーパークラフトなどであっても良い。立体オブジェクト２０は、箱体１０の背面壁１２に固定されていても良いし、包装容器１から取り出された立体オブジェクト２０を背面壁１２と背中合わせで配置しても良い。なお、本実施形態においては立体オブジェクト２０としているが、立体ではないオブジェクト、例えば、カードや、背景が描かれた壁でもよい。また、オブジェクトは交換可能としてもよい。さらには、オブジェクトと背面壁１２をなくして、透明板３０を通じて、実際の風景や建物を視認可能とするようにしても良い。この場合、透明板３０にて表示される映像表示が、透明板３０を通じて視認される実際の風景や建物に重ね合わせて視認できることになる。
【００４９】
透明板３０は、可視光の波長帯域に対して透明な素材である（つまり、透過性を有する）ガラス、樹脂等にて薄板状に形成される。破損し難さや軽量化の観点からは、ポリ塩化ビニル（ＰＶＣ）、ポリエチレンテレフタレート（ＰＥＴ）、ポリカーボネート（ＰＣ）、またはアクリル等の樹脂の成形体にて透明板３０を形成することが好ましく、安価に製造できる点でいえば、ポリエチレンテレフタレートが望ましい。なお、透明板３０の厚さは強度の点からすれば０．４ｍｍ以上とするのが好ましい。また、映像を反射して表示させる面としては、透明板３０は０．６ｍｍ以下とするのが好ましい。また、透明板３０は、図３に示すように、箱体１０の両側壁１３，１３の間にて、かつ、立体オブジェクト２０よりも前方にて、上端部３１よりも下端部３２が前方に位置するように傾斜（例えば傾斜角＝４５°）して配置される。換言すれば、前記透明板３０は、立体オブジェクト２０よりも使用者側に位置することになる。
【００５０】
立体オブジェクト２０の上面には、透明板３０の上端部３１を載置可能な設置部２１が形成されている。設置部２１は、例えば前方に向かうに従い下降傾斜した傾斜面として形成される。このような設置部２１を設けることにより、透明板３０を介して透視される立体オブジェクト２０の表面位置において、表示部１１０の映像を重畳させるように、透明板３０の角度の位置決めがなされ、使用者に、よりきれいな映像を提供することができる。なお、本実施の形態では、前方に向かうに従い下降傾斜した傾斜面を設置部としたが、透明板３０を介して透視される立体オブジェクト２０の表面位置において、表示部１１０の映像を重畳させる位置決めが可能であれば、設置部の位置・形状はこれに限定されることはない。例えば、立体オブジェクト２０の前面に透明板３０の上端部３１を固定可能な設置部を設けたり、箱体に設置部を設けてもよい。また、図２及び図３に示すように、立体オブジェクト２０の上面には、設置部２１の幅方向の両端にて上方に突出する２つのサイドストッパー２２，２２をさらに設けることができる。この２つのサイドストッパー２２，２２は、透明板３０を幅方向にて位置決めすることができる。なお、サイドストッパーは、箱体に設けてもよい。透明板３０の下端部３２は、図３に示すように、箱体１０の底壁１１と正面壁１４（１４Ａ〜１４Ｃ）との交差角部にて係止される。
【００５１】
図３及び図５は、箱体１０の両側壁１３，１３に、図６に示す表示部１１０を備えた携帯端末（例えばスマートフォン）１００を、表示部１１０を下向きにして架設した（別言すれば、携帯端末１００を表示部１１０側から支持した）、映像表示装置の使用状態を示している。映像表示装置は、図１に示す部材のうち蓋体４０を除いた、箱体１０、立体オブジェクト２０及び透明板３０を、図３及び図５に示すように組み立てることで構成される。図７は、図３及び図５に示す映像表示装置の使用状態にて、正面開口１６から観察される映像表示例を示している。このように、正面開口１６からは透明板３０を視認可能である。なお、本実施形態においては、携帯端末は、箱体によって支持されており、両側壁１３，１３、背面壁１２、正面壁１４のうちの少なくとも２つの壁面部によって支持可能となっている。すなわち、本実施形態においては、携帯端末１００を支持する両側壁１３，１３、背面壁１２、正面壁１４のうちの少なくとも２つの壁面が、本発明にいう「支持部」を兼ねている。なお、本発明にいう「支持部」を、箱体の壁面と兼ねることなく、別途設けても良い。いずれにせよ、携帯端末１００を表示部１１０側から支持することができる「支持部」が設けられていれば足りる。また、そのことで、透明板３０が携帯端末１００の表示部１１０の下方に位置すればなおよい。
【００５２】
本実施形態に係る映像表示装置は、図３に示すように、透明板３０の後方から入射して透視される立体オブジェクト２０の透視立体映像Ｉｍ１に、透明板３０にて反射された携帯端末１００の表示部１１０の映像Ｉｍ２を重畳させる。この際、立体オブジェクト２０が配置される透明板３０の後方は、立体オブジェクト２０、両側壁１３，１３及び携帯端末１００に囲まれているので、透明板３０の前方の正面開口１６側と比較して暗くなる。透明板３０の前方の正面開口１６側から（明るい側から）立体オブジェクト２０を（暗い側を）直視する観察者には、透明板３０を透過して立体オブジェクト２０も視認可能であり、同時に、携帯端末１００の表示部１１０の映像Ｉｍ２も透明板３０で反射して（つまり、透明板３０に映って）視認可能となる。すなわち、透明板３０を挟んだ一方の空間（透明板３０から見て使用者がいる空間、本実施形態でいうところの透明板３０の前方）と他方の空間（透明板３０から見て使用者がいる方向とは反対の空間、本実施形態でいうところの透明板３０の後方）の間で、明暗の差を生じさせることが可能な明暗差発生手段（本実施形態では、立体オブジェクト２０、両側壁１３，１３、底壁１１、正面壁１４、背面壁１２、携帯端末１００のいずれか、または、これらのうち、いくつかの組み合わせ）を有することにより、透明板３０を透過して透明板３０の背後（透明板３０から見て使用者がいる方向とは反対の空間）が視認可能であると同時に、携帯端末１００の表示部１１０の映像Ｉｍ２も透明板３０で反射して（つまり、透明板３０に映って）視認可能となっている。この透明板３０における現象は、夜間の車窓を透視した景色に車窓にて反射された自分の顔が重畳される現象と同様である。透明板３０は傾斜して配置されるので、表示部１１０の映像を反射させて観察者に表示することができる。このように本実施形態の映像表示装置によれば、ハーフミラーを用いなくても、比較的高い透過率にて透明板３０を介して透視される立体オブジェクト２０に、透明板３０にて反射される表示部１１０の映像を重畳させることができる。
【００５３】
ここで透明板３０は、図３のＡ部拡大図である図４に示すように、複数の透明薄板３０Ａ〜３０Ｃを積層して構成してもよい。こうすると、複数の透明薄板３０Ａ，３０Ｂ，３０Ｃ間の各界面が反射層となって、反射率を高めることができる。また、こうして反射率が高まる結果として透過率が下がるため、透明板３０の後方空間はより暗くなり、透明板３０における前述のような現象の効果が高まる。図８（Ａ）に示すように１枚の透明薄板３０Ａにて表示部１１０の映像１２０を反射させた反射像１２１よりも、図８（Ｂ）に示すように２枚の透明薄板３０Ａ，３０Ｂにて表示部１１０の映像１２０を反射させた反射像１２２の方が、鮮明になる。
【００５４】
ここで、複数の透明薄板３０Ａ〜３０Ｃの各々の厚さは０．４５ｍｍ以下とすることができる。それより厚いと、図４に示すように異なる界面で間の反射像間に位置ずれが生じ、合成反射像のぼけが目立ってくる。透明板３０が樹脂で成形される場合、成形性を考慮すると、透明薄板３０Ａ〜３０Ｃの各々の厚さは０．１５〜０．４５ｍｍとすることができる。
【００５５】
また、透明薄板の積層枚数は、上述した厚さも考慮して２〜４枚が好ましく、上限よりも積層枚数が増える場合でも異なる界面で間の反射像間に位置ずれが生じ、合成反射像のぼけが目立ってくる。
【００５６】
透明板３０または複数の透明薄板３０Ａ〜３０Ｃは例えばグレー等に着色されていてもよい。透明板３０または複数の透明薄板３０Ａ〜３０Ｃが着色されることで、透明板３０または複数の透明薄板３０Ａ〜３０Ｃの透過率を下げ、透明板３０または複数の透明薄板３０Ａ〜３０Ｃの後方の空間を暗くすることで、透明板３０での反射率を上げることができる。
【００５７】
複数の透明薄板３０Ａ〜３０Ｃは、積層状態で固定すると取り扱い性が向上する。複数の透明薄板３０Ａ〜３０Ｃは、例えば溶着（超音波溶着を含む）、接着、圧着するか、または枠により固定することができる。
【００５８】
図６に示す携帯端末１００の表示部１１０に表示される映像は、静止画でも良いが、動画とすることもできる。例えば表示部１１０上には、立体オブジェクト２０の正面像と同じ輪郭で着色した静止画の映像１２０Ａと共に、時間的に表示位置、形状、色などが変化する動画の映像１２０Ｂを、背景である立体オブジェクト２０にプロジェクションマッピングされて表示される。こうすると、透明板３０を透視される静止した立体オブジェクト像に動画を含む表示部１１０の映像を重ねることで、図７に示す映像表示装置の正面開口１６にはあたかも３Ｄホログラムのように多彩に演出された映像（例えば立体オブジェクトが動いているような映像）を擬似的に再現することができる。
【００５９】
なお、図７に示すように、映像表示装置の正面開口１６は、両側の側縁壁１４Ａ，１４Ｂにより視野角が制限される。よって、携帯端末１００の表示部１１０が例えば液晶表示部などであっても、その液晶表示部の視野角に適合させることができる。また、映像表示装置の正面開口１６は、側縁壁１４Ａ，１Ｂ及び下縁壁１４Ｃにより視野を制限しているので、箱体１０の底壁１１や両側壁１３，１３等の不要な背景を目隠しすることができる。
【００６０】
また、本実施形態においては、携帯端末１００を表示部１１０側から支持するようにしたため、透明板３０は、支持された携帯端末１００の表示部１１０の下方に位置することになる。すると、あえて映像表示装置を目線より上に持ち上げて正面開口１６を下から覗き込もうとする（この場合、透明板３０の背後（後方、透明板３０から見て使用者がいる方向とは反対側）の空間は正面開口１６からは見えづらくなるので通常の使用態様ではない）のでない限り、使用者からは携帯端末１００の表示部１１０の表示は見えづらくなるので、透明板３０の映像表示と、携帯端末１００の表示部１１０がどちらも見えてしまい、興が削がれてしまうことを少なくすることができる。
【００６１】
立体オブジェクト２０に携帯端末１００の表示部１１０の映像を重ね合わせるため、携帯端末１００を箱体１０に対して位置合わせするために、箱体１０や立体オブジェクト２０、または表示部１１０にマーカーを設けることができる。図１〜図３には、立体オブジェクト２０の上面に、例えば幅方向の中心にマーカー２３を設けている。このマーカー２３に、携帯端末１００の表示部１１０の中心線を一致させるように位置合わせすることができる。
【００６２】
図９には、携帯端末１００の表示部１１０に表示されるマーカー１３０〜１３３を示している。マーカー１３０は、立体オブジェクト２０に設けられるマーカー２３と対応する位置に表示することができる。マーカー１３１は、箱体１０の両側壁１３，１３に位置合わせされる。マーカー１３２は、箱体１０の背面壁１２に位置合わせされる。マーカー１３３は、箱体１０の側縁壁１４Ａ，１４Ｂに位置合わせされる。表示部１１０は、マーカー１３０〜１３３のいずれか一つまたは複数を表示することができる。
【００６３】
図１０に示すように、携帯端末１００通信される基地局２１０が、ネットワーク２００を介してサーバー２２０と接続されている。携帯端末１００は、図１１に示すように、表示部１１０の他に、図９に示されたカメラ１４０に接続された取得部１５０を有する。携帯端末１００のカメラ１４０は、図１に示す箱体１０に設けられた二次元コードであるＱＲコード（登録商標）１７を撮像し、そのコード情報が取得部１５０にて取得される。携帯端末１００は、さらに表示部１１０に表示されるアイコンなどの入力部１６０と、通信部１７０とを備える。通信部１７０は、ＱＲコード（登録商標）１７に含まれるサーバー２２０のアクセス情報であるＵＲＬに基づいてサーバー２２０と通信する。
【００６４】
サーバー２２０は、図１２に示すように、通信部２２１と記憶部２２２とを含む。ＱＲコード（登録商標）１７に基づいてアクセスされた携帯端末１００に対して、サーバー２２０は記憶部２２２内のプログラムに基づいて、次の手順１，２を実行する。手順１として、図９に示すマーカー１３０〜１３３の少なくとも一つのマーカー画像のデータを記憶部２２２から読み出し、通信部２２１、ネットワーク２００及び基地局２１０を介して、携帯端末１００に送信する。手順２として、図６に示す映像１２０Ａ，１２０Ｂのデータを記憶部２２２から読み出し、通信部２２１、ネットワーク２００及び基地局２１０を介して、携帯端末１００に送信する。
【００６５】
サーバー２２０は、手順１のマーカー画像を初期の所定時間に亘って携帯端末１００の表示部１１０に表示させ、その後手順２に移行することができる。つまり、手順１によって表示されたマーカー１３０〜１３３に基づいて携帯端末１００が位置合わせされた後には、マーカー１３０〜１３３は表示されない。それに代えて、サーバー２２０は、手順１のマーカー画像を初期の所定時間に亘って携帯端末１００の表示部１１０に表示させ、その後手順１，２を並行して実施することができる。つまり、マーカー画像は初期画像として表示されるほか、図６に示す映像１２０Ａ，１２０Ｂと共に表示し続けても良い。
【００６６】
なお、本発明の形態は、上記実施形態に限られるものではなく、適宜構成要素の追加・省略・変更を施すことができる。
【００６７】
例えば、図１に示すように蓋体４０は箱体１０と別体で設けるものに限らない。図１３に示す箱体１０Ａは、上部開口１５を覆う第１蓋体４２と、正面開口１６を覆う第２蓋体４３とを、箱体１０Ａと一体に有することもできる。第１，第２蓋体４２，４３は、箱体１０Ａに対して切断可能な例えばミシン線等で接続され、使用時には箱体１０Ａから分離される。
【００６８】
図１４に示すように、箱体１０Ａは図１に示す蓋体４０と同じ高さＬ３を有するので、長さＬ２（図１参照）の透明板３０を箱体１０Ａ内に垂直状態で収容できる。また、図１４に示すように、透明板３０の上端部３１を設置するための設置部は、立体オブジェクト２０ではなく箱体１０Ａの背面壁１２Ａとすることもできる。
【符号の説明】
【００６９】
１…包装容器、１０，１０Ａ…箱体、１１…底壁、１２，１２Ａ…背面壁、１３…両側壁、１４…正面壁、１４Ａ，１４Ｂ…側縁壁、１４Ｃ…下縁壁、１５…上部開口、１６…正面開口、１７  …二次元コード、２０…立体オブジェクト、２１…設置部、２２…サイドストッパー、２３…マーカー、３０…透明板（クリアカード）、３０Ａ〜３０Ｃ…複数の透明薄板、３１…上端部、３２…下端部、４０…蓋体、１００…携帯端末、１１０…表示部、１２０，１２０Ａ，１２０Ｂ…映像、１３０〜１３３…マーカー、Ｉｍ１…透過像、Ｉｍ２…反射像
【図１】
2015090407.tif 000003
【図２】
2015090407.tif 000004
【図３】
2015090407.tif 000005
【図４】
2015090407.tif 000006
【図５】
2015090407.tif 000007
【図６】
2015090407.tif 000008
【図７】
2015090407.tif 000009
【図８】
2015090407.tif 000010
【図９】
2015090407.tif 000011
【図１０】
2015090407.tif 000012
【図１１】
2015090407.tif 000013
【図１２】
2015090407.tif 000014
【図１３】
2015090407.tif 000015
【図１４】
2015090407.tif 000016